(57)【特許請求の範囲】
【請求項１】
住戸内に設けられた住宅情報盤と接続される通話部と、該通話部に接続されたスピ
ーカとを有し、住戸の玄関先に設置されるドアホンであって、
前記ドアホンの筐体下部に設けた開口に炎を検出する炎センサを取り付け、前記ド
アホンの真下方向から前方を監視するように前記炎センサを前記ドアホン本体内に設
け、
前記炎センサが炎を検出したときに、前記ドアホンのスピーカから警報を行い、放
火をする者に対して威嚇できることを特徴とするドアホン。
【請求項２】
前記住宅情報盤に警報部を設け、
前記ドアホンの前記炎センサが炎を検出したとき、前記住宅情報盤は、前記警報部
を動作させて、前記ドアホンの通話部を介して前記スピーカから警報することを特徴
とする請求項１記載のドアホン。
【発明の詳細な説明】
【０００１】
【発明の属する技術分野】
本発明は、一戸建ての住戸や、共同住宅の住戸の玄関先に設置されるドアホンに関するものである。
【０００２】
【従来技術】
従来、特開平９−２２３２８９号などに共同住宅に設置されるドアホンが開示されている。この公報をもとにドアホンを含む集合住宅の防災システムについて説明する。ドアホンは、住戸の外である玄関先に設置されており、住戸内にある住宅情報盤に接続されている。また住宅情報盤には、火災感知器やガス漏れ警報器などの端末機器が接続される。
【０００３】
そして、住戸内で異常が発生すると、端末機器が異常状態を検出して、住宅情報盤で警報するようになっている。
【０００４】
【発明が解決しようとする課題】
ところで、近年、放火による火災が増加している。放火は住戸の外から火がつけられるため、従来技術のような住戸内にある火災感知器では、住戸内に火災の煙がはいるまで、放火による火災を検出することができず、早期に火災を検出することができなかった。
【０００５】
そこで本発明は、集合住宅の防災システムを利用して、住戸外での火災を早期に検出できるようにすることを目的とする。
【０００６】
【課題を解決するための手段】
本発明は、住戸内に設けられた住宅情報盤と接続される通話部と、該通話部に接続
されたスピーカとを有し、住戸の玄関先に設置されるドアホンであって、前記ドアホ
ンの筐体下部に設けた開口に炎を検出する炎センサを取り付け、前記ドアホンの真下
方向から前方を監視するように前記炎センサを前記ドアホン本体内に設け、前記炎セ
ンサが炎を検出したときに、前記ドアホンのスピーカから警報を行い、放火をする者
に対して威嚇できることを特徴とするものである。
【０００７】
【発明の実施の形態】
図１は、本発明のドアホンを含んだ集合住宅の防災システムのシステム図である。図１において、１０は住戸の玄関先に設置されるドアホンである。ドアホン１０は、住戸内に設けられた住宅情報盤２０と信号線Ｓや通話線Ｔを介して接続されている。またドアホン１０内には、中継器１１が設けられる。住戸内には、火災感知器２１が設けられ、火災感知器２１は、信号線を介してドアホン１０内の中継器１１と接続されている。
【０００８】
対象とする住戸が一戸建てであれば、防災システムは上述した、ドアホン１０、住宅情報盤２０及び火災感知器２１などの端末機器によって構成される。また対象とする住戸が共同住宅のマンションなどの住戸であれば、各住戸の住宅情報盤２０をまとめて監視する住棟受信機（図示せず）が管理室に更に設置されることになる。
【０００９】
次にドアホン１０内部の構成について説明する。１３はドアホン本体の表面に設けられた押しボタンであり、呼び出し回路１４を通じて住宅情報盤２０へ訪問者の来訪を通知する。１６は通話部であり、スピーカ１７、マイク１９の電気信号を住宅情報盤２０とやり取りするための回路である。
【００１０】
１５は中継器１１に接続された試験用の接続端子である。この接続端子１５に図示しない試験器具を接続することで、中継器１１に接続された火災感知器２１を住戸の外から試験（点検）することができる。なお、ここまで説明した部分は従来のドアホンの構成と同じである。
【００１１】
１８はドアホン１０の本体内に設けた炎を検出するセンサである。このセンサ１８は、例えば炎に特有な４．３μｍの波長などを検出する赤外線検出素子から構成され、好ましくは異なる波長を検出する複数の素子からなる。センサ１８は中継器１１に接続されているが、火災感知器２１が接続される信号線Ｓに接続するようにしてもよい。なおスピーカ１７とは別に警報手段としてＬＥＤなどの発光素子を設けてもよい。
【００１２】
図２は、本発明のドアホン１０の外観図である。ドアホン１０の本体１２の下部には開口が設けられ、その開口に炎を検出するセンサ１８が取り付けられている。センサ１８は、やや下向きに設置され、ドアホン１０の真下方向から前方を監視するように設けられる。これは、玄関先のドア付近の放火を検知できるようにするためで、また放火は地表上にある物に着火されるので、地面（又は床面）という低い位置で火災が発生することを考慮したものである。
【００１３】
次に住宅情報盤２０の構成について説明する。２３は中継器１１と接続された火災検出部で、火災感知器２１からの信号により火災を検出する部分である。２４は通話部１６と接続された呼出検出部で、押しボタン１３が押されたことを検出するものである。２５は通話部で、押しボタン１３が押された時に、ハンドセット２８が持ち上げられると、ドアホン１０側の通話部１６と接続されて、両者間で通話できるようにするものである。
【００１４】
２６は警報部で、火災感知器２１やセンサ１８が動作した時、又は押しボタン１３が押された時に、スピーカ２７から警報するものである。なおスピーカ２７の代わりに音声合成回路を設けてもよい。２２は制御部で、火災検出部２３、呼出検出部２４、通話部２５及び警報部２６と接続され、各種信号の制御を行うものである。
【００１５】
次に本発明のドアホンの作用について説明する。玄関先において放火によって火災が発生すると、ドアホン１０のセンサ１８が火災の炎を検出する。センサ１８から生じる火災信号は、中継器１１を介して住宅情報盤２０に出力される。住宅情報盤２０の火災検出部２３への火災信号の入力に伴い、制御部２２は、警報部２６を動作させて、スピーカ２７より火災の発生を警報する。
【００１６】
対象となる住戸が共同住宅などのマンションであれば、住戸の人は、外で火災が発生していることを確認したら、住宅情報盤のインターホン機能を使用して、管理人に通報することできる。このようにドアホン１０に炎センサ１８を設けると、住戸外における放火などによる火災を検出することができ、また、住宅情報盤２０の通報システムを利用できるので、放火犯を捕らえやすくなる。
【００１７】
またセンサ１８が炎を検出した時、住宅情報盤２０の制御部２２は、警報部２６を動作させる。これにより警報部２６は、ドアホン１０の通話部１６を介して、スピーカ１７を動作させる。警報方法としては、例えばＬＥＤを点灯させると共に、「火災が発生しました」と警報する。
【００１８】
このようにドアホン１０から警報を行うようにすると、近隣への報知を素早く行え、また着火用のライターなどの炎を検出した時点で警報を行えるので、放火をする者に対して威嚇することができ、ガソリンなどの火種に着火されて、火災が大きくなるのを未然に防止できる。
【００１９】
また炎を検出するセンサ１８は、中継器１１に接続されているので、接続端子１５に試験器具を接続することで、住戸内の火災感知器２１と同様に機能試験を行うことが可能である。
【００２０】
なお、ドアホン１０において、押しボタン１３を押すと、呼び出し回路１４が動作して、住宅情報盤２０の呼出検出部２４が動作する。この時、制御部２２が、スピーカ２７から呼出音を鳴動して、住戸の人に訪問者が来たことを知らせる。そして住戸内の人が住宅情報盤２０のハンドセット２８を持ち上げると、ドアホン１０の通話部１６と住宅情報盤２０の通話部２５が接続される。そして訪問者は、スピーカ１７及びマイク１９を介して住戸内の人と通話することができるようになっている。
【００２１】
このようにドアホン１０の前方、言い換えればセンサ１８の視野内には、人間が頻繁に入るが、センサ１８は、異なる波長を検出する複数の素子、例えば、赤外線検出素子によって炎を検出するようにしているので、ドアホンの押しボタンを押す訪問者などの人体を誤って検出したりすることがない。
【００２２】
またドアホン１０は外部に設置されるため、防雨構造となっているので、センサ１８は風雨にさらされても、不具合を生じることがない。
【００２３】
【発明の効果】
本発明は以上のように構成され、ドアホン内に炎を検出するセンサが設けられるので、住戸外における放火などによる火災を検出することができる。またドアホンのスピーカより警報するようにしたので、炎を検出した時に、火災の発生を近隣へ報知できる他、放火をする者に対して威嚇することができ、ライターなどの炎がガソリンなどの火種に着火されるのを未然に防止できる。
【００２４】
またセンサは中継器を介して住戸内の住宅情報盤に接続されるので、住戸内の人に対して、外で火災が発生したことを警報することができる。住戸の人は、住宅情報盤のインターホン機能を使用して、管理人に通報することできるので、放火犯を捕らえやすい。
【００２５】
また炎を検出するセンサは、中継器に接続されているので、住戸内の火災感知器と同様に機能試験を行うことが可能である。更に、異なる波長を検出する複数の素子によって炎を検出するようにしているので、ドアホンの押しボタンを押す訪問者などの人体を誤って検出したりすることがない。
【００２６】
またセンサ、やや下向きに設置され、ドアホンの真下方向から前方を監視するように設けられる。このため、玄関先のドア付近の放火を検知できる。
【図面の簡単な説明】
【図１】図１は、本発明のドアホンを含んだ集合住宅の防災システムのシステム図である
【図２】図２は、本発明のドアホン１０の外観図である。
【符号の説明】
１０  ドアホン、  １１  中継器、  １２  本体、  １３  押しボタン、
１４  呼び出し回路、  １５  接続端子、  １６  通話部、  １７  スピーカ、
１８  センサ、  ２０  住宅情報盤、  ２１  火災感知器、  ２２  制御部、
２３  火災検出部、  ２４  呼出検出部、  ２５  通話部、  ２６  警報部、
２７  スピーカ、  ２８  ハンドセット、  Ｓ  信号線、  Ｔ  通話線、
【図１】
0004518702.tif 000002
【図２】
0004518702.tif 000003